(57)【特許請求の範囲】
【請求項１】
引き出しの側板に設けられる突起と、この引き出しの出し入れされる収納部における当該引き出しの前記側板に向き合う面に、所定の振動により回動されるように吊下げ状に設けられ、かつ、この回動により前記突起に掛合端を引っ掛けて、前記所定の振動による前記収納部からの前記引き出しの突き出し方向への移動を阻止するフックとよりなるロック装置であって、
前記フックは板状体として構成されていると共に、前記回動の回動中心から当該フックの重心までの寸法に対し、当該回動中心から前記掛合端までの寸法が大きくなるように構成してあり、
しかも、引き出しが収納部に押し入れられた収納状態において、前記突起が、フックの掛合端と回動軸との間の上方に位置されるように設けてあることを特徴とするロック装置。
【発明の詳細な説明】
【０００１】
【発明の属する技術分野】
この発明は、引き出しを備えた各種のロッカー、家具などにおいて、地震などによる所定の振動が作用された場合に、かかる引き出しの突き出しを防止するロック装置に関する。
【０００２】
【従来の技術】
引き出しを備えた各種のロッカー、家具などにおいて、引き出しの予期せぬ突き出し方向への移動を防止する技術として、例えば、実公昭５３−２５７１３に示されるラッチ装置がある。かかるラッチ装置にあっては、引き出しの前面に設けられた引き手に指などを引っ掛けて当該引き手を引っ張ることに伴って、引き出しの収納キャビネット側に設けられた掛合突部に対して引っ掛かった引き出し側の掛合部をかかる引っ掛かりを外す向きに移動できるようにしてある。そして、かかる引き手の操作をなさない限り、前記掛合突部と掛合部との引っ掛かりにより、キャビネットから引き出しが突き出さないものとされる。
【０００３】
【発明が解決しようとする課題】
しかるに、かかる従来のラッチ装置にあっては、引き出しの予期せぬ突き出しを効果的に防止しうるものではあるが、前記引き手の引っ張り操作に伴って前記掛合部を前記引っ掛かりを外す向きに移動させ、また、この操作をしない場合には再びかかる掛合部が前記掛合突部に引っ掛かるようにするための機構が必要とされ、しかも、これらの機構をキャビネットおよび引き出しに備えさせるために、格別の構造をこれらのキャビネットなどに持たせることを要するものであった。
【０００４】
したがってまた、かかるラッチ装置を備えたロッカー、家具などは、低廉に提供し難く、簡易な構造を持ち、しかも、引き出しを備えた様々なロッカー、家具に容易に用い得るこの種の機構の提供が望まれていた。
【０００５】
とりわけ、かかる引き出しの予期せぬ突き出しは、地震などにより、引き出しの出し入れ操作時の振動を越える振動が当該ロッカーなどに作用された場合に生じ得るため、かかる振動が生じた場合には引き出しの突き出しを阻止し、その余の場合には、格別の操作を要することなく引き出しの出し入れ操作をなすことができるようにした機構の提供が望まれていた。
【０００６】
そこでこの発明は、かかる従来の技術の不都合を解消すること、特に、構造が簡易で、また、種々の引き出しを備えたロッカーなどに容易に備え付けでき、しかも、地震などによる所定の振動が作用された場合に引き出しの予期せぬ突き出しを効果的に阻止し得るロック装置を提供することを目的とする。
【０００７】
【課題を解決するための手段】
前記目的を達成するために、請求項１記載の発明では、ロック装置を、引き出しＨの側板Ｈａに設けられる突起１０と、この引き出しＨの出し入れされる収納部Ｋにおける当該引き出しＨの前記側板Ｈａに向き合う面Ｋａに、所定の振動により回動されるように吊下げ状に設けられ、かつ、この回動により前記突起１０に掛合端２２を引っ掛けて、前記所定の振動による前記収納部Ｋからの前記引き出しＨの突き出し方向への移動を阻止するフック２０とよりなるロック装置であって、前記フック２０は板状体として構成されていると共に、前記回動の回動中心２１から当該フック２０の重心Ｇまでの寸法ｈ１に対し、当該回動中心２１から前記掛合端２２までの寸法ｈ２が大きくなるように構成してあり、しかも、引き出しＨが収納部Ｋに押し入れられた収納状態において、前記突起１０が、フック２０の掛合端２２と回動軸２１’との間の上方に位置されるように設けてある構成のものとした。
【０００８】
かかる構成によれば、引き出しＨを突き出し方向に向けて移動させる地震などによる所定の振動が作用された際に、前記フック２０を回動させて、このフック２０の掛合端２２を前記突起１０に引っ掛けることができ、この引っ掛けにより、かかる引き出しＨの突き出しを阻止することができる。
【０００９】
特に、前記フック２０は、回動中心２１から当該フック２０の重心Ｇまでの寸法ｈ１に対し、当該回動中心２１から前記掛合端２２までの寸法ｈ２が大きくなるように構成してあることから、前記所定の振動が作用された際の前記重心Ｇの移動寸法ｍ１に比し前記掛合端２２の移動寸法ｍ２を大きくすることができる。この結果、引き出しＨの出し入れにあたり前記突起１０とフック２０とが干渉し合わないように当該突起１０とフック２０の掛合端２２との間に十分な間隔を開けておいても、前記所定の振動が作用された際に確実に前記突起１０にフック２０の掛合端２２を引っ掛けるようにしておくことができる。
【００１０】
地震の振動による前記引き出しＨの突き出しを阻止する目的で、この発明にかかるロック装置を用いる場合は、前記所定の振動の大きさは、通常の引き出しＨの出し入れ操作に伴って生じる振動以上の振動としておけば良い。
【００１１】
フック２０の重さを調整することにより、あるいは、フック２０の回動中心２１から重心Ｇまでの寸法ｈ１と当該回動中心２１から掛合端２２までの寸法Ｈ２との比を調整することにより、あるいはまた、フック２０の掛合端２２と前記突部との間の間隔を調整することにより、当該フック２０の掛合端２２が当該突起１０に引っ掛かるために必要な所定の振動の大きさを調整することができる。
【００１３】
また、かかる構成によれば、引き出しＨの収納部Ｋに引き込んだ収納状態、より具体的には、一般に引き出しＨの前面Ｈｂが引き出しＨの収納部Ｋの開口Ｋｂを巡る前面Ｈｂと略同面となった状態において、前記所定の振動が作用された場合に、前記フック２０の回動により当該フック２０の掛合端２２を前記突起１０に引っ掛けて、かかる状態にある引き出しＨの突き出しを阻止することができる。
【００１４】
【発明の実施の形態】
以下、図１ないし図５に基づいて、この発明の典型的な実施の形態の一つについて説明する。
【００１５】
なお、ここで図１は、この実施の形態にかかるロック装置の構成を理解し易いように、当該ロック装置の組み付けられる引き出しＨ、収納部Ｋの要部および、かかるロック装置を構成する各部材を分離して、それぞれ斜視の状態として示している。また、図２は、かかるロック装置を組み付けた状態で、収納部Ｋより引き出しＨを引き出させた状態を斜視の状態として示している。また、図３は、所定の振動が作用されることにより、ロック装置を構成する突起１０にフック２０が引っ掛けられ、これにより引き出しＨの突き出し方向への移動が阻止された状態を、斜視の状態として示している。また、図４は、収納部Ｋの開口Ｋｂを引き出しＨの前板Ｈｃで塞いだ当該引き出しＨの収納状態であって、前記所定の振動が作用されていない状態におけるロック装置を構成する前記突起１０とフック２０との位置関係を理解し易いように、引き出しＨおよび収納部Ｋを仮想線で示し、かつ、ロック装置を側方から見た状態として示している。また、図５は、図４に示される状態から、前記所定の振動が作用された状態におけるロック装置を構成する前記突起１０とフック２０との位置関係を理解し易いように、引き出しＨおよび収納部Ｋを仮想線で示し、かつ、ロック装置を側方から見た状態として示している。
【００１６】
この実施の形態にかかるロック装置は、引き出しＨの出し入れ方向に沿った側板Ｈａに設けられる突起１０と、当該引き出しＨの側板Ｈａに向き合った収納部Ｋの内側面Ｋａ’に所定の振動により回動可能に設けられるフック２０とを主体に構成される。
【００１７】
この実施の形態にあっては、前記フック２０は、前記収納部Ｋの内側面Ｋａ’に立設される回動軸２１’の差し通される軸穴２３ａを一端側に備えた鉛直部２３と、この鉛直部２３の他端側にこの他端側から横方向に延びるようにこの他端側に一体に設けられたアーム部２４とを備えた板状体として構成してある。
【００１８】
アーム部２４は、鉛直部２３に対して細くなるように構成してある。また、この実施の形態にあっては、前記鉛直部２３における他端側にフック２０の重心Ｇが位置されるように構成してある。また、かかる重心Ｇと回動軸２１’とを結ぶ線分Ｌに対して前記アーム部２４が略直交する向きに突き出すようにしてある。そして、前記所定の振動が加わらない状態にあっては、前記アーム部２４が水平方向に略沿って位置される構成としてある。
【００１９】
アーム部２４の先端には、前記突起１０に対する掛合端２２が形成してある。この実施の形態にあっては、かかる掛合端２２は、かかるアーム部２４の自由端に上方に向けた突部２２ａを形成して構成してある。そして、この掛合端２２を構成する突部２２ａの先端から前記回動軸２１’までの寸法ｈ２が、当該回動軸２１’から重心Ｇまでの寸法ｈ１より大きくなるように構成してあり、かかるアーム部２４が前記所定の振動により回動されることに伴って、前記重心Ｇが所定の寸法ｍ１移動する場合に、かかる重心Ｇの移動寸法ｍ１以上の寸法ｍ２分、前記掛合端２２が上方に向けて移動される構成としてある。
【００２０】
より具体的には、かかるフック２０は、前記軸穴２３ａよりも外径を大きくする頭部２５ａと、当該軸穴２３ａに収まる中間部２５ｂと、前記収納部Ｋの内側面Ｋａ’に設けたねじ穴２６に止め付けられる雄ねじを備えた先端部２５ｃとを有する軸部材２５を、ワッシャ２５ｄを介して前記ねじ穴２６に前記先端部２５ｃをねじ止めして設けると共に、前記中間部２５ｂが前記軸穴２３ａに収まるようにこの軸部材２５にフック２０を回動可能に、かつ、この軸部材２５により吊下げられるように組み付けて、前記収納部Ｋの内側面Ｋａ’に設けられる。
【００２１】
そしてこの実施の形態にあっては、以上の構成を備えるフック２０を、前記収納部Ｋにおける前記引き出しＨの収納部Ｋの開口Ｋｂ側にある当該収納部Ｋの内側面Ｋａ’に、前記アーム部２４の掛合端２２がかかる開口Ｋｂの側に向くようにして設けている。また、フック２０における前記引き出しＨの側板Ｈａの面に向けられた側の面および前記軸部材２５の頭部２５ａは、かかる引き出しＨの出し入れ操作にあたり、当該引き出しＨの側板Ｈａの面などに接するなどして、この引き出しＨの出し入れ操作を妨げないように位置付けてある。
【００２２】
次いで、前記突起１０は、前記内側面Ｋａ’に向けて突き出すように設けられ、かつ、引き出しＨの出し入れ操作にあたって、かかる突起１０が収納部Ｋの内側面Ｋａ’に干渉しない高さに構成してある。
【００２３】
また、かかる突起１０は、前記引き出しＨにおける前面Ｈｂ側、この実施の形態にあっては、前記収納部Ｋの収納部Ｋの開口Ｋｂを、この収納部Ｋに対する引き出しＨの収納位置において塞ぐ前板Ｈｃ近傍にある当該引き出しＨの側面に設けてあり、さらに、かかる引き出しＨの収納位置において、かかる突起１０が、前記フック２０における回動軸２１’と掛合端２２の間において当該掛合端２２の上方で、かつ、当該フック２０の前記アーム部２４が上方に向けて回動された際に前記掛合端２２を構成する突部２２ａの先端の移動軌跡内に位置されるように設けてある。
【００２４】
より具体的には、かかる突起１０は、頭部１１ａと、当該頭部１１ａに続く中間部１１ｂと、前記引き出しＨの内側面Ｋａ’に設けたねじ穴１２に止め付けられる雄ねじを備えた先端部１１ｃとを有する突起構成体１１を、前記ねじ穴１２に前記先端部１１ｃをねじ止めして、前記引き出しＨの側板Ｈａに設けられる。
【００２５】
この実施の形態にかかるロック装置は、以上の構成を備えることから、前記収納部Ｋにおける前記収納位置に収められた引き出しＨを、この収納部Ｋから突き出す向きに移動させる所定の振動が作用された際に、前記フック２０を当該フック２０の前記アームの掛合端２２が上方に向けて移動されるように回動させることができ、このように回動された当該アームの掛合端２２を前記突起１０に引っ掛けることができる。これにより、前記引き出しＨの突き出し方向に向けた移動を阻止することができる。（図３、図５）
【００２６】
【発明の効果】
この発明にかかるロック装置によれば、引き出しＨを突き出し方向に向けて移動させる地震などによる所定の振動が作用された際に、前記フック２０を回動させて、このフック２０の掛合端２２を前記突起１０に引っ掛けることができ、この引っ掛けにより、かかる引き出しＨの突き出しを阻止することができる。
【００２７】
特に、前記フック２０は、回動中心２１から当該フック２０の重心Ｇまでの寸法ｈ１に対し、当該回動中心２１から前記掛合端２２までの寸法ｈ２が大きくなるように構成してあることから、前記所定の振動が作用された際の前記重心Ｇの移動寸法ｍ１に比し前記掛合端２２の移動寸法ｍ２を大きくすることができる。この結果、引き出しＨの出し入れにあたり前記突起１０とフック２０とが干渉し合わないように当該突起１０とフック２０の掛合端２２との間に十分な間隔を開けておいても、前記所定の振動が作用された際に確実に前記突起１０にフック２０の掛合端２２を引っ掛けるようにしておくことができる。
【００２８】
また、ロック装置は、前記突起１０とフック２０とより構成されることから、構造が簡易であり、安価に提供できるばかりか、様々な引き出しＨに対して、引き出しＨ及び引き出しＨの収納部Ｋの構造に格別の配慮を払うことなく、容易に備え付けることができる特長を有する。
【図面の簡単な説明】
【図１】ロック装置の分解斜視図
【図２】ロック装置の使用状態を示す斜視図
【図３】ロック装置の使用状態を示す斜視図（ロック状態）
【図４】ロック装置の使用状態を示す側面図
【図５】ロック装置の使用状態を示す側面図（ロック状態）
【符号の説明】
Ｈ  引き出し
Ｈａ  側板
Ｋ  収納部
Ｋａ  側板Ｈａに向き合う面
Ｇ  重心
１０  突起
２０  フック
２１  回動中心
２２  掛合端
ｈ１  回動中心２１からフック２０の重心Ｇまでの寸法
ｈ２  回動中心２１から掛合端２２までの寸法
【図１】
0003835881.tif 000002
【図２】
0003835881.tif 000003
【図３】
0003835881.tif 000004
【図４】
0003835881.tif 000005
【図５】
0003835881.tif 000006